(57)【要約】  本発明は、歯科用インプラントに関し、より詳細には、別途のネジ山を利用してフィクスチャとアバットメントとを結合させることで、インプラントのネジ結合部の破折を防止すると同時に、接触面の全体に均等に力が伝わるようにして、応力が部分的に集中する現象を防止することができ、フィクスチャとアバットメントとの間のネジ結合方向を変えて、フィクスチャとアバットメントとの間の結合力を向上させ、ネジの緩みを源泉的に防止できる歯科用インプラントに関する。本発明は、フィクスチャとアバットメントとを含めて構成される歯科用インプラントにおいて、前記アバットメントはフィクスチャに嵌め込み結合される下部アバットメントと、前記下部アバットメントの上部に連設される上部アバットメントに分離して構成され、前記上部アバットメントとフィクスチャは、ネジ山によって締結して固定されることを特徴とする。【選択図】図３
2015525602.tif 000002
【特許請求の範囲】
【請求項１】
外周面にネジ山１１０、１１０’が形成されたフィクスチャ１００、１００’１００”と、フィクスチャ１００、１００’１００”の内側に挿結されるアバットメント２００、２００’、２００”を含めて構成される歯科用インプラント１、１’１”において、
前記アバットメント２００、２００’、２００”は、フィクスチャ１００、１００’１００”に嵌め込み結合される下部アバットメント２１０、２１０’、２１０”と、前記下部アバットメント２１０、２１０’、２１０”の上部に連設される上部アバットメント２２０、２２０’、２２０”に分離して構成され、
前記上部アバットメント２２０、２２０’、２２０”とフィクスチャ１００、１００’、１００”は、ネジ山３００、３００’、３００”によって締結して固定されることを特徴とする歯科用インプラント。
【請求項２】
前記フィクスチャ１００、１００’、１００”と上部アバットメント２２０、２２０’、２２０”には、ネジ山３００、３００’、３００”が結合される第１及び第２雌ネジ１２２、１２２’１２２”２２２ａがそれぞれ形成され、前記第１及び第２雌ネジ１２２、１２２’１２２”２２２ａに対応される位置のネジ山３００、３００’、３００”には、第１及び第２雄ネジ３１２、３１２’、３１２”、３１４、３１４’、３１４”が形成されることを特徴とする、請求項１に記載の歯科用インプラント。
【請求項３】
前記第１雌ネジ１２２、１２２’１２２”及び第１雄ネジ３１２、３１２’、３１２”と、第２雌ネジ２２２ａ及び第２雄ネジ３１４、３１４’、３１４”は、互いに反対方向のネジ山を有するように形成されたことを特徴とする、請求項２に記載の歯科用インプラント。
【請求項４】
前記上部アバットメント２２０の下端には、突出部２２４が形成され、前記下部アバットメント２１０の上端には、前記突出部２２４が嵌め込み結合される嵌合溝２１２が形成されたことを特徴とする、請求項２に記載の歯科用インプラント。
【請求項５】
前記上部アバットメント２２０の下端には、内周面に第２雌ネジ２２２ａが形成された延長部２２６が突出して形成され、前記下部アバットメント２１０の上端には、前記延長部２２６が挿結される挿入溝２１３が形成されたことを特徴とする、請求項２に記載の歯科用インプラント。
【請求項６】
前記下部アバットメント２１０の下部には、結合溝２１９が形成され、前記フィクスチャ１００の上部には、結合溝２１９に嵌め込み結合される固定部１４０が突出して形成されたことを特徴とする、請求項２に記載の歯科用インプラント。
【請求項７】
前記上部アバットメント２２０．２２０’、２２０”の外周面には、シーティンググルーブ（ｓｅａｔｉｎｇ  ｇｒｏｏｖｅ）２５０、２５０’、２５０”が形成され、下部アバットメント２１０、２１０’、２１０”の外周面には、シーティングリッジ（ｓｅａｔｉｎｇ  ｒｉｄｇｅ）２６０、２６０’、２６０”が形成されたことを特徴とする、請求項１に記載の歯科用インプラント。
【請求項８】
前記ネジ山３００’、３００”は、その下端部と上端部にそれぞれ形成される第１及び第２雄ネジ３１２’、３１２”、３１４’、３１４”と、前記第１及び第２雄ネジ３１２’、３１２”、３１４’、３１４”との間に形成される多角形状のポスト３１６’、３１６”で構成されたことを特徴とする、請求項２に記載の歯科用インプラント。
【請求項９】
前記ネジ山３００’の第２雄ネジ３１４’の外周面には、内周面に第２雌ネジ３２４’が形成され、外周面に第３雄ネジ３２６’が形成されたネジリング３２０’が結合され、前記上部アバットメント２２０’には、第３雄ネジ３２６’が締結される第３雌ネジ２２６’が形成された第１の締結孔２２２’が形成されたことを特徴とする、請求項８に記載の歯科用インプラント。
【請求項１０】
前記ネジ山３００’のポスト３１６’には、外周面に第４雄ネジ３３８’が形成された締結具３３０’が嵌め込み結合され、前記下部アバットメント２１０’には、第４雄ネジ３３８’が締結される第４雌ネジ２１８’が形成された第２締結孔２１２’が形成されたことを特徴とする、請求項９に記載の歯科用インプラント。
【請求項１１】
前記締結具３３０’の下端部には、多角形状からなる回転防止部３３４’が形成され、
前記フィクスチャ１００’の上部には、前記回転防止部３３４’が嵌め込み結合される回転防止溝１３４’が形成されたことを特徴とする、請求項１０に記載の歯科用インプラント。
【請求項１２】
前記締結具３３０’の上端には、フィクスチャ１００’の内側に結合されたネジ山３００’が緩む方向に向かって上方に傾いた鋸歯状の第１ステップ部３３５’が形成され、前記ネジリング３２０’と締結具３３０’との間には、下端部に第１ステップ部３３５’と対応される形状の第２ステップ部３４５’が形成された第１ステップリング３４０’が設置されることを特徴とする、請求項１０に記載の歯科用インプラント。
【請求項１３】
前記第１雌ネジ１２２’と第１雄ネジ３１２’のネジ方向は、フィクスチャ１００’に形成されたネジ山１１０’と、第２ないし第４雌ネジ２２２ａ、２２６’、２１８’、及び第２ないし第４雄ネジ３１４’、３２６’、３３８’のネジ方向と逆の方向に形成されたことを特徴とする、請求項１０に記載の歯科用インプラント。
【請求項１４】
前記下部アバットメント２１０”の内側には、上端部にフィクスチャ１００”の内側に結合されたネジ山３００”が緩む方向に向かって上方に傾いた鋸歯状の第１ステップ部２１５”が形成され、
前記第１ステップ部２１５”の上部には、下端部に第１ステップ部２１５”と対応される形状の第２ステップ部３４５”が形成された第１ステップリング３４０”が下部アバットメント２１０”の内側に挿結されたことを特徴とする、請求項８に記載の歯科用インプラント。
【請求項１５】
前記下部アバットメント２１０”の上端部には、フィクスチャ１００”の内側に結合されたネジ山３００”が緩む方向に向かって上方に傾いた傾斜面２１７ａ”を含む階段状の第３ステップ部２１７”が形成され、前記下部アバットメント２１０”と上部アバットメント２２０”との間には、下端部に第３ステップ部２１７”と対応される形状の第４ステップ部３５５”が形成された第２ステップリング３５０”が設置されることを特徴とする、請求項１に記載の歯科用インプラント。
【発明の詳細な説明】
【技術分野】
【０００１】
本発明は、歯科用インプラントに関し、より詳細には、別途のネジ山を利用してフィクスチャとアバットメントとを結合させることで、インプラントのネジ結合部の破折を防止すると同時に、接触面の全体に均等に力が伝わるようにして、応力が部分的に集中する現象を防止することができ、フィクスチャとアバットメントとの間のネジ結合方向を変えて、フィクスチャとアバットメントとの間の結合力を向上させ、ネジの緩みを源泉的に防止できる歯科用インプラントに関する。
【背景技術】
【０００２】
一般的に、インプラント（ｉｍｐｌａｎｔ）とは、自然歯と同一の形態及び機能を再現できるように構成される人工代替物を意味するものであって、その構成は、図１に示すように、外周面にネジ山１１が形成され、歯槽骨Ａに設置されるように自然歯の歯根の形態を模したチタン材質のフィクスチャ（ｆｉｘｔｕｒｅ）１０と、前記フィクスチャ１０の上部に連設され、その上部に人工歯Ｂが結合されるアバットメント（ａｂｕｔｍｅｎｔ）２０と、前記フィクスチャ１０とアバットメント２０とを互いに固定させる固定ネジ３０を含めて構成される。
【０００３】
すなわち、従来の一般的なインプラント構造は、内部にネジ孔が形成されたフィクスチャ１０の上部にアバットメント２０を位置させた後、アバットメント２０を通じてフィクスチャ１０のネジ孔の内側に固定ネジ３０を挿結させて固定ネジ３０の回転によってフィクスチャ１０とアバットメント２０とが互いに固定結合されるように構成されたものである。
【０００４】
しかし、上記のような構成が、固定ネジ３０のヘッド部分がアバットメント２０の内側に挿入され、フィクスチャ１０とアバットメント２０の結合部に支持されるように構成されており、固定ネジ３０の長さが短くて、フィクスチャ１０とアバットメント２０との結合力が弱くなり、食べ物を噛む場合などの咀嚼作用時に受ける荷重が固定ネジ３０の狭い表面積に集中してしまい、フィクスチャ１０とアバットメント２０の結合部で固定ネジ３０が破折されたり緩むという問題点がある。
【０００５】
このような問題点を解決するための従来技術として、米国公開特許公報ＵＳ２００３／０２２４３２８号には、生物学的な機能を有する歯のインプラント１が掲載されているが、その主要な技術的構成は、図２に示すように、患者の口の内の歯茎の骨６４にクラウン部５０を付着させるための生物学的な機能を有する歯のインプラント１において、患者の歯茎の骨６４に形成されるソケット（へこんだ所）の内側のガムライン６２（歯と歯茎が当接して成す線）の下に植えられる根部３と、患者の歯茎の骨６４に形成されるソケットの内側に前記根部３を固定させるための手段と、クラウン部５０と、前記根部３にクラウン部５０を連結させるためのフレキシブルなアバットメントポスト１８と、を含めて構成され、前記フレキシブルなアバットメントポスト１８は、前記クラウン部５０が患者の歯茎の骨６４に形成されるソケットの内側に固定される根部３に対して移動することができるようにするために、曲がるように形成されたことにその特徴がある。
【０００６】
上記の構成は、歯根部を囲む骨の構造に人間の成長因子を分配できるようにする供給ルートを提供できるように構成されたことに特徴があるが、その構成が複雑であり、クラウン部５０と根部３との間の結合力が弱く、アバットメントポスト１８によるクラウン部５０と根部３のネジ結合が緩む恐れがあるという問題点がある。
【０００７】
しかし、上記の構成は、ネジ部５が上部設置台２に一体に形成されており、ネジ部５が形成された上部設置台２が破折する危険が依然として存在し、上部設置台２が破折する場合、破折されたネジ部５を除去することが難しいという短所がある。
【０００８】
また、前記ネジ部５が人工歯固定体１１の内側のみでネジ結合されるので、ネジ結合される部分の表面積が小さく、人工歯固定体１１と上部設置台２及び下部設置台６の間の結合力が弱く、ネジ結合が緩む危険が存在するという問題点がある。
【０００９】
また、上記の従来の構成は、アバットメントが、歯茎の部分と当接する面がなく、クラウン部５０が丸ごとで根部３に連結された構造なので、完璧に歯茎の骨が存在する場合にのみ適用が可能であり、ガムライン６２付近に歯垢及び歯石が多く沈着してしまう問題点もある。
【発明の概要】
【発明が解決しようとする課題】
【００１０】
本発明は、上記のような従来技術の問題点を解決するために案出されたものであって、本発明の目的は、フィクスチャとアバットメントとの結合のために、別途のネジ山を使用することにより、フィクスチャとアバットメントがネジ結合される面積を増加させることにより、フィクスチャとアバットメントとの間の結合力を増加させ、ネジ山の破折のリスクを最小化できるだけでなく、ネジ山の破折時にも破折されたネジ山を容易に除去できる歯科用インプラントを提供することにある。
【００１１】
また、本発明は、フィクスチャにネジ山を先に結合させた上で、その上部にアバットメントを締結及び固定させることができるようにして、フィクスチャとアバットメントとの結合をより容易かつ正確にできるようにする歯科用インプラントを提供することに他の目的がある。
【００１２】
また、本発明は、アバットメントを上部アバットメントと下部アバットメントに分離して構成することにより、上・下部アバットメントの高さ、傾き、太さなどの形状を多様に選択して組み立てられるようにする歯科用インプラントを提供することに更に他の目的がある。
【００１３】
また、本発明は、ネジ山を利用して上部アバットメントとネジ山との間、フィクスチャとネジ山との間でネジ結合部を２箇所に分離して構成するとともに、分離して構成されるネジ結合部の結合方向が互いに逆になるようにすることで、フィクスチャとアバットメントとの間の結合力を向上させ、ネジの緩みを源泉的に防止できる歯科用インプラントを提供することに更に他の目的がある。
【００１４】
また、本発明は、ネジ山と上・下部アバットメントとの間に、ネジリング及び締結具を挿結することで、上・下部アバットメントの間の結合力及び上・下部アバットメントとフィクスチャとの間の結合力を向上できる歯科用インプラントを提供することに更に他の目的がある。
【００１５】
また、本発明は、フィクスチャの植え込み方向及びネジ山と上・下部アバットメントとの間の結合方向と、ネジ山とフィクスチャとの間の結合方向を逆にすることにより、ネジ山の緩み防止効果を極大化することができるようにする歯科用インプラントを提供することに更に他の目的がある。
【００１６】
また、本発明は、下部アバットメントの内側または上部アバットメントと下部アバットメントとの間にステップリングを挿設して、下部アバットメントが多角形状を成すネジ山のポストに密着されるようにすることで、インプラントの製造過程で発生される公差にもかかわらず、緩むことなく強固な固定状態を維持できるようにする歯科用インプラントを提供することに更に他の目的がある。
【００１７】
また、本発明は、上部アバットメントと下部アバットメントの外周面に、シーティンググルーブまたはシーティングリッジをそれぞれ形成させ、人工歯の内側面にシーティンググルーブとシーティングリッジの形状に対応される突出部と溝が形成されるようにすることで、上部アバットメントと下部アバットメントを固定させることができるようにする歯科用インプラントを提供することに更に他の目的がある。
【課題を解決するための手段】
【００１８】
上記のような目的を達成するための本発明は、フィクスチャとアバットメントを含めて構成される歯科用インプラントにおいて、前記アバットメントは、フィクスチャに嵌め込み結合される下部アバットメントと、前記下部アバットメントの上部に連設される上部アバットメントに分離して構成され、前記上部アバットメントとフィクスチャは、ネジ山によって締結して固定されることを特徴とする。
【００１９】
この際、前記フィクスチャと上部アバットメントには、ネジ山が結合される第１及び第２雌ネジがそれぞれ形成され、前記第１及び第２雌ネジに対応する位置のネジ山には、第１及び第２雄ネジが形成されたことを特徴とする。
【００２０】
また、前記第１雌ネジ及び第１雄ネジと、第２雌ネジ及び第２雄ネジは、互い反対方向のネジ山を有するように形成されたことを特徴とする。
【００２１】
さらに、前記上部アバットメントの下端には突出部が形成され、前記下部アバットメントの上端には前記突出部が嵌め込み結合される嵌合溝が形成されたことを特徴とする。
【００２２】
また、前記上部アバットメントの下端には、内周面に第２雌ネジが形成された延長部が突出して形成され、前記下部アバットメントの上端には、前記の延長部が挿結される挿入溝が形成されたことを特徴とする。
【００２３】
また、前記下部アバットメントの下部には、結合溝が形成され、前記フィクスチャの上部には、結合溝に嵌め込み結合される固定部が突出して形成されたことを特徴とする。
【００２４】
さらに、前記上部アバットメントの外周面には、シーティンググルーブ（ｓｅａｔｉｎｇ  ｇｒｏｏｖｅ）が形成され、下部アバットメントの外周面には、シーティングリッジ（ｓｅａｔｉｎｇ  ｒｉｄｇｅ）が形成されたことを特徴とする。
【００２５】
一方、前記のネジ山は、その下端部と上端部にそれぞれ形成される第１及び第２雄ネジと、前記第１及び第２ネジの間に形成される多角形状のポストで構成されることを特徴とする。
【００２６】
この際、前記ネジ山の第２雄ネジの外周面には、内周面に第２雌ネジが形成され、外周面に第３雄ネジが形成されたネジリングが結合され、前記上部アバットメントには第３雄ネジが締結される第３雌ネジが形成された第１の締結孔が形成されることを特徴とする。
【００２７】
また、前記ネジ山のポストには、外周面に第４雄ネジが形成された締結具が嵌め込み結合され、前記下部アバットメントには、第４雄ネジが締結される第４雌ネジが形成された第２の締結孔が形成されたことを特徴とする。
【００２８】
さらに、前記締結具の下端部には、多角形状を成す回転防止部が形成され、前記フィクスチャの上部には、前記回転防止部が嵌め込み結合される回転防止溝が形成されたことを特徴とする。
【００２９】
また、前記締結具の上端には、フィクスチャの内側に結合されたネジ山が緩む方向に向かって上方に傾いた鋸歯状の第１ステップ部が形成され、前記ネジリングと締結具との間には、下端部に第１ステップ部と対応される形状の第２ステップ部が形成された第１ステップリングが設置されることを特徴とする。
【００３０】
また、前記第１雌ネジと第１雄ネジのネジ方向は、フィクスチャに形成されたネジ山と、第２ないし第４雌ネジ及び第２ないし第４雄ネジのネジ方向と逆の方向に形成されたことを特徴とする。
【００３１】
さらに、前記下部アバットメントの内側には、上端部にフィクスチャの内側に結合されたネジ山が緩む方向に向かって上方に傾いた鋸歯状の第１ステップ部が形成され、前記第１ステップ部の上部には、下端端に第１ステップ部と対応される形状の第２ステップ部が形成された第１ステップリングが下部アバットメントの内側に挿結されたことを特徴とする。
【００３２】
また、前記下部アバットメントの上端部には、フィクスチャの内側に結合されたネジ山が緩む方向に向かって上方に傾いた傾斜面を含む階段状の第３ステップ部が形成され、前記下部アバットメントと上部アバットメントとの間には、下端部に第３ステップ部と対応される形状の第４スタッフ部が形成された第２ステップリングが設置されることを特徴とする。
【発明の効果】
【００３３】
本発明に係ると、フィクスチャとアバットメントとの結合のために別途のネジ山を使用することにより、フィクスチャとアバットメントがネジ結合される面積を増加させることにより、フィクスチャとアバットメントとの間の結合力を増加させ、ネジ結合される部分に全体的に荷重が分散して伝えられ、応力集中によるネジ山の破折のリスクを最小化できるだけでなく、ネジ山の破折時にも破折されたネジ山を容易に除去できる効果を有する。
【００３４】
また、本発明は、フィクスチャにネジ山を結合させた上で、その上部にアバットメントを締結して固定させることができるようにして、フィクスチャとアバットメントとの結合をより容易かつ正確にできる効果を更に有する。
【００３５】
また、本発明は、アバットメントを上部アバットメントと下部アバットメントに分離して構成することにより、上・下部アバットメントの高さ、傾き、太さなどの形状を多様に選択して組み立てることができる効果を更に有する。
【００３６】
また、本発明は、ネジ山を利用して上部アバットメントとネジ山との間、フィクスチャとネジ山との間で、ネジ結合部を２箇所に分離して構成するとともに、分離して構成されるネジ結合部の結合方向が互いに逆になるようにすることで、フィクスチャとアバットメントとの間の結合力を向上させ、ネジの緩みを源泉的に防止できるだけでなく、フィクスチャとアバットメントとの接触部分が部分的に応力を受けず、全体的に密着されるため、フィクスチャとアバットメントとの結合部の隙間から外部の物質が浸透することを防止することで、インプラント内部での細菌の繁殖によるインプラント周囲炎とインプラント周辺粘膜炎の発生を予防することができる効果を更に有する。
【００３７】
また、本発明に係ると、ネジ山と上・下部アバットメントとの間にネジリング及び締結具を挿結ことで、上・下部アバットメントの間の結合力及び上・下部アバットメントとフィクスチャとの間の結合力を向上させることができると共に、フィクスチャの植え込みの方向及びネジ山と上・下部アバットメントとの間の結合方向と、ネジ山とフィクスチャとの間の結合方向を逆にすることにより、ネジ山の緩み防止効果を極大化させることができる効果を更に有する。
【００３８】
また、本発明に係ると、下部アバットメントの内側または上部アバットメントと下部アバットメントとの間にステップリングを挿設して、下部アバットメントの内側面が多角形状を成すネジ山のポストの外周面に密着して固定されるようにすることで、インプラントの製造過程で発生される公差にもかかわらず、緩むことなく強固な固定状態を維持できるようにする効果を更に有する。
【００３９】
また、本発明に係ると、上部アバットメントと下部アバットメントの外周面にシーティンググルーブまたはシーティングリッジをそれぞれ形成させて、人工歯の内側面にシーティンググルーブとシーティングリッジの形状に対応される突出部と溝が形成されるようにすることで、上部アバットメントと下部アバットメントを強固に固定させて緩む現象を防止できる効果を更に有する。
【図面の簡単な説明】
【００４０】
【図１】一般的な従来のインプラントが施術された姿を概略的に示す図。
【図２】従来の歯のインプラントの結合の姿を示す断面図。
【図３】本発明に係る歯科用インプラントの一実施例を示す結合断面図。
【図４】図３に示す本発明を分離して示す断面図。
【図５】図３に示す本発明のうち、アバットメントの実施例を分離して示す断面図。
【図６】図３に示す本発明のうち、ネジ山の実施例を示す図面。
【図７】本発明に係る歯科用インプラントの第２実施例を示す結合断面図。
【図８】本発明に係る歯科用インプラントの第３実施例を示す結合断面図。
【図９】本発明に係る歯科用インプラントの第４実施例を分離して示す断面図。
【図１０】図９に示す本発明の結合断面図。
【図１１】図９に示す本発明のうち、下部アバットメントの結合過程を示す断面図。
【図１２】図１０に示す本発明のうち、フィクスチャと下部アバットメントとの間の結合部を示す平断面図。
【図１３】本発明に係る歯科用インプラントの第５実施例を分離して示す断面図。
【図１４】図１３に示す本発明の結合断面図。
【図１５】本発明に係る歯科用インプラントの第６実施例を分離して示す断面図。
【図１６】本発明に係る歯科用インプラントのうち上・下部アバットメントの他の実施例を分離して示す図。
【発明を実施するための形態】
【００４１】
以下、添付された図面を参考しながら、本発明に係る歯科用インプラントの望ましい実施例について詳細に説明する。
【００４２】
図３は、本発明に係る歯科用インプラントの一実施例を示す結合断面図であり、図４は、図３に示す本発明を分離して示す断面図であり、図５Ａ、図５Ｂ、図５Ｃは、図３に示す本発明のうち、アバットメントの実施例を分離して示す断面図であり、図６Ａ、図６Ｂ、図６Ｃは、図３に示す本発明のうち、ネジ山の実施例を示す図であり、図７は、本発明に係る歯科用インプラントの第２実施例を示す結合断面図であり、図８は、本発明に係る歯科用インプラントの第３実施例を示す結合断面図であり、図９は、本発明に係る歯科用インプラントの第４実施例を分離して示す断面図であり、図１０は、図９に示す本発明の結合断面図であり、図１１Ａ、図１１Ｂ、図１１Ｃは、図９に示す本発明のうち、下部アバットメントの結合過程を示す断面図であり、図１２は、本発明に係る歯科用インプラントの第５実施例を分離して示す断面図であり、図１３は、図１２に示す本発明の結合断面図であり、図１４は、本発明に係る歯科用インプラントの第６実施例を分離して示す断面図であり、図１５は、本発明に係る歯科用インプラントのうち、上・下部アバットメントの他の実施例を分離して示す図である。
【００４３】
本発明は、別途のネジ山３００、３００’を利用して、フィクスチャ１００とアバットメント２００を結合させることで、インプラントのネジ結合部の破折を防止すると同時に、接触面の全体に均等に力が伝わるようにして、応力が部分的に集中する現象を防止することができ、フィクスチャ１００とアバットメント２００との間のネジ結合方向を変えてフィクスチャ１００とアバットメント２００との間の結合力を向上させ、ネジの緩みを源泉的に防止できる歯科用インプラント１に関するものであり、その一実施例の構成は図３及び図４に示すように、フィクスチャ１００とアバットメント２００及びネジ山３００を含めて構成される。
【００４４】
より詳細に説明すると、前記フィクスチャ（ｆｉｘｔｕｒｅ）１００は、インプラント１の根の役割を行うものであって、自然歯の歯根形状を有するように形成され、その外周面にはネジ山１１０が形成されて歯槽骨の内側に挿結されることができるように構成されている。
【００４５】
また、前記フィクスチャ１００の上部の中心には、後述するネジ山３００が挿入されて締結される第１雌ネジ１２２が形成され、前記第１雌ネジ１２２の上部には、後述するアバットメント２００の下部が嵌め込み結合されるテーパ溝１３２及び回転防止溝１３４がアバットメント２００の下部の形状と対応されるように形成される。
【００４６】
次に、前記アバットメント（ａｂｕｔｍｅｎｔ）２００は、フィクスチャ１００の上部に連設され、その上部に人工歯４００が結合されるものであって、インプラント１の連結柱の役割を行うものである。
【００４７】
この際、前記アバットメント２００は、フィクスチャ１００の内側に挿結されて固定される下部アバットメント２１０と、下部アバットメント２１０の上部に回転できるように嵌め込み結合された上部アバットメント２２０に分離して構成されるが、これは、アバットメント２００とフィクスチャ１００との結合を容易にしながらも、アバットメント２００の固定力を向上させるようにするためのものであり、これについては後述する。
【００４８】
次に、前記ネジ山３００は、アバットメント２００とフィクスチャ１００の内側に挿入され、アバットメント２００とフィクスチャ１００を締結して固定させる役割をするものであり、ネジ山３００の外周面には雄ネジ３１０が形成されている。
【００４９】
より詳細に説明すると、前記上部アバットメント２２０の中心部には、側壁に第２雌ネジ２２２ａが形成された締結孔２２２が形成され、前記下部アバットメント２１０の中心部には、貫通孔２１８が形成され、フィクスチャ１００の中心部には、側壁に第１雌ネジ１２２が形成された締結溝１２０が形成され、外周面に雄ネジ３１０が形成されたネジ山３００が上部アバットメント２２０、下部アバットメント２１０、及びフィクスチャ１００の中心部を通じて挿結され、上部アバットメント２２０に形成された第２雌ネジ２２２ａ及びフィクスチャ１００の中心部に形成された第１雌ネジ１２２に締結して固定されることができるように構成されている。
【００５０】
すなわち、本発明の望ましい実施例によると、フィクスチャ１００にネジ山３００を締結して固定させた後、その上部に下部アバットメント２１０及び上部アバットメント２２０を順次結合させるが、先ず、歯槽骨の内側に挿結されたフィクスチャ１００に形成された締結溝１２０の内側にネジ山３００を挿入させ、締結溝１２０の側壁に形成された第１雌ネジ１２２に締結して固定させる。
【００５１】
次に、下部アバットメント２１０をネジ山３００に嵌め込むことでフィクスチャ１００に結合させるが、下部アバットメント２１０に形成された貫通孔２１８を通じてネジ山３００に嵌め込み結合して、下部アバットメント２１０の下端部がフィクスチャ１００の上部に挿結されるようにする。
【００５２】
この際、未図示であるが、前記下部アバットメント２１０の中心部に形成された貫通孔２１８の側壁にも雌ネジを形成し、下部アバットメント２１０がネジ山３００の外周面にネジ結合されるように構成することもできることはもちろんである。
【００５３】
次に、上部アバットメント２２０に形成された第２雌ネジ２２２ａを利用して上部アバットメント２２０をネジ山３００の上端部に締結して固定させると、フィクスチャ１００とアバットメント２００の結合が完了されるが、上記のような結合方式によってフィクスチャ１００とアバットメント２００の結合をより容易かつ正確にできるだけでなく、ネジ山３００によってフィクスチャ１００とアバットメント２００がネジ結合される面積が増加されるため、フィクスチャ１００とアバットメント２００との間の結合力を増加させることができるようになる。
【００５４】
また、フィクスチャ１００とアバットメント２００を結合させるためのネジ山３００を別途に具備して、ネジ山３００にネジ結合される部分をフィクスチャ１００の内側と上部アバットメント２２０の内側に分離して構成することで、食べ物を噛む場合などの咀嚼作用時に受ける荷重を分散させることが可能となり、ネジ山３００の破折のリスクを最小化できると共に、ネジ山３００の破折時にも破折されたネジ山３００を容易に除去できるようになる。
【００５５】
一方、前記ネジ山３００の外周面に形成される雄ネジ３１０は、図６Ｂ、図６Ｃに示すように、第１及び第２雄ネジ３１２、３１４に分離されるように形成させることもできるが、前記第１雄ネジ３１２は、ネジ山３００の下端部の外周面、つまり、フィクスチャ１００に形成された第１雌ネジ１２２と締結される部分に形成され、第２雄ネジ３１４は、ネジ山３００の上端部の外周面、つまり、上部アバットメント２２０に形成された第２雌ネジ２２２ａと締結される部分に形成される。
【００５６】
この際、前記第１雌ネジ１２２及び第１雄ネジ３１２と、第２雌ネジ２２２ａ及び第２雄ネジ３１４は、互いに反対方向のネジ山を有するように形成されうるが、これはネジ結合が緩むことを源泉的に防止することで、フィクスチャ１００とアバットメント２００との間の結合力を維持させることができるようにするためである。
【００５７】
より詳細に説明すると、前記第１雌ネジ１２２と第１雄ネジ３１２を右ネジで形成する場合、第２雌ネジ２２２ａと第２雄ネジ３１４を左ネジで形成し、第１雌ネジ１２２と第１雄ネジ３１２を左ネジに形成する場合、第２雌ネジ２２２ａと第２雄ネジ３１４を右ネジで形成することにより、フィクスチャ１００にネジ山３００を結合させる場合のネジ山３００の回転方向と、ネジ山３００に上部アバットメント２２０を結合させる場合の上部アバットメント２２０の回転方向と、が互い反対になるようにするものである。
【００５８】
このような結合方式は、ネジ山３００が一方向に回転して、第１雌ネジ１２２と第１雄ネジ３１２との間の結合部または第２雌ネジ２２２ａと第２雄ネジ３１４との間の結合部が緩もうとする場合、上記と反対の方向への回転によって結合された第２雌ネジ２２２ａと第２雄ネジ３１４との間の結合部または第１雌ネジ１２２と第１雄ネジ３１２との間の結合がより強く行われるようになり、ネジ山３００がこれ以上回転することを防止することで、ネジ結合が緩むことを源泉的に防止できるようになり、それによって、フィクスチャ１００とアバットメント２００との間の強固な結合状態が維持されることができるようになる。
【００５９】
一方、本発明に係る歯科用インプラント１は、前述したように、アバットメント２００を上部アバットメント２２０と下部アバットメント２１０に分離して構成することにより、上・下部アバットメント２２０、２１０の高さ、傾き、太さなどの形状を多様に選択して組み立てることができるようになるが、その一実施例として、図５Ａに示すように、上部アバットメント２２０の下端には、突出部２２４が形成され、下部アバットメント２１０の上端には、突出部２２４の形状に対応される嵌合溝２１２が形成され、上部アバットメント２２０が下部アバットメント２１０の上部に安定的に設置されるように構成することができる。
【００６０】
この際、前記上部アバットメント２２０は、ネジ山３００との締結固定のために、下部アバットメント２１０に回転できるように嵌め込み結合されるものなので、前記突出部２２４及び嵌合溝２１２は、その水平断面が円形を成すように形成される。
【００６１】
次に、図５Ｂに示すように、上部アバットメント２２０が下部アバットメント２１０の上部に単に安置されるようにして、ネジ山３００のみによって結合されるように構成することもでき、図５Ｃに示すように、上部アバットメント２２０の下端に円筒形状の延長部２２６を突出して形成させ、下部アバットメント２１０の上端に前記延長部２２６が挿結される挿入溝２１３を形成させることもできる。
【００６２】
この際、前記延長部２２６の内側には、上部アバットメント２２０に具備される第２雌ネジ２２２ａが形成された締結孔２２２が延長して形成され、ネジ山３００にネジ結合される面積を増加させることにより、ネジ山３００によるアバットメント２００とフィクスチャ１００との間の結合力を向上させることができるように構成される。
【００６３】
次に、前記フィクスチャ１００に嵌め込み結合されるアバットメント２００の下部、つまり、下部アバットメント２１０の下端には、テーパ部２１４と回転防止部２１６が形成されるが、前記テーパ部２１４は、下部に行くほど直径が小さくなる円錐形状からなり、下部アバットメント２１０がフィクスチャ１００の上端部により安定的に設置できるようにする役割を行うものである。
【００６４】
つまり、前記フィクスチャ１００の上部には、前記テーパ部２１４の形状に対応するようにする円錐型のテーパ溝１３２が形成され、下部アバットメント２１０がフィクスチャ１００の内側に挿結される場合、下部アバットメント２１０とフィクスチャ１００との間の接触面積を広げることにより、より安定的に設置されるようにして、結合力を向上させることができるようにする役割を行うようになる。
【００６５】
また、前記回転防止部２１６は、テーパ部２１４の下部に多角形の形状を有するように突出して形成されるものであって、フィクスチャ１００のテーパ溝１３２下部には、前記回転防止部２１６の形状に対応される多角形からなる回転防止溝１３４が形成され、前記回転防止部２１６が回転防止溝１３４に嵌め込み結合される場合、下部アバットメント２１０がフィクスチャ１００の上部に嵌め込み結合された状態で回転することを防止することで、フィクスチャ１００に嵌め込み結合された下部アバットメント２１０の固定力を向上させることができるようにする役割を行うようになる。
【００６６】
一方、本発明の第２実施例によると、前述したようなネジ山３００を利用したフィクスチャ１００とアバットメント２００との結合方式は、アバットメント２００の下端部がフィクスチャ１００の内側に挿結されるインターナルタイプのインプラント（Ｉｎｔｅｒｎａｌ  ｔｙｐｅ  ｉｍｐｌａｎｔ）だけでなく、図７に示すように、フィクスチャ１００の上端部がアバットメント２００の下端部の内側に挿結されるエキスターナルタイプのインプラント（Ｅｘｔｅｒｎａｌ  ｔｙｐｅ  ｉｍｐｌａｎｔ）にも適用され得る。
【００６７】
つまり、前記フィクスチャ１００の上端部に固定部１４０が突出して形成され、前記アバットメント２００、つまり、下部アバットメント２１０の下端部には、前記固定部１４０が嵌め込み結合される結合溝２１９が形成され、フィクスチャ１００が下部アバットメント２２０の内側に挿結される場合にも、ネジ山３００を利用した結合構造を適用できるのである。
【００６８】
この際、前記フィクスチャ１００の固定部１４０及び下部アバットメント２１０に形成された結合溝２１９は、前述した回転防止部２１６や回転防止溝１３４と同様に、多角形の形状からなり、下部アバットメント２１０がフィクスチャ１００の上部に嵌め込み結合された状態で回転することを防止することができるように構成されている。
【００６９】
一方、本発明に係る歯科用インプラント１の第３実施例によると、図８に示すように、上部アバットメント２２０と下部アバットメント２１０の外周面に、一つ以上のシーティンググルーブ（ｓｅａｔｉｎｇ  ｇｒｏｏｖｅ）２５０またはシーティングリッジ（ｓｅａｔｉｎｇ  ｒｉｄｇｅ）２６０が更に形成され得るが、前記シーティンググルーブ２５０及びシーティングリッジ２６０は、上部アバットメント２２０と下部アバットメント２１０との間の固定力を強化させる役割を行うものである。
【００７０】
より詳細に説明すると、前述したような過程によって、ネジ山３００を利用して上・下部アバットメント２２０、２１０とフィクスチャ１００とを結合させた状態で、上・下部アバットメント２２０、２１０の外周面に歯科用接着剤（ｃｅｍｅｎｔ）を利用して人工歯（補綴物）４００を被せることになるが、この際、歯科用バー（ｂｕｒ）などを利用して外周面にシーティンググルーブ２５０を形成させた上部アバットメント２２０と、製造過程で外周面にシーティングリッジ２６０を一体に形成させた下部アバットメント２１０を使用する場合、印象採得した補綴製作用石膏モデル、つまり、人工歯（補綴物）４００の内側面にシーティンググルーブ２５０の形状に対応される突出部（未図示）と、シーティングリッジ２６０の形状に対応される溝（未図示）が形成される。
【００７１】
したがって、シーティンググルーブ２５０が形成された上部アバットメント２２０と、シーティングリッジ２６０が形成された下部アバットメント２１０に、人工歯４００を付着させると、人工歯４００に形成された突出部がシーティンググルーブ２５０の内側に挿結され、下部アバットメント２１０に形成されたシーティングリッジ２６０が人工歯４００に形成された溝の内側に挿結され、上部アバットメント２２０と下部アバットメント２１０が緩まずに固定された状態を維持できるようになるのである。
【００７２】
また、前記シーティンググルーブ２５０とシーティングリッジ２６０は、上・下部アバットメント２２０、２１０と人工歯４００との間の接着面積を増加させるので、上・下部アバットメント２２０、２１０と人工歯４００との間の結合力を増大させる役割も行うようになる。
【００７３】
この際、前記上部アバットメント２２０と下部アバットメント２１０にシーティンググルーブ２５０またはシーティングリッジ２６０が選択的に形成される可能性もあることはもちろんである。つまり、上部アバットメント２２０にシーティングリッジ２６０が形成され、下部アバットメント２１０にシーティンググルーブ２５０が形成されたり、上・下部アバットメント２２０、２１０にシーティンググルーブ２５０またはシーティングリッジ２６０が形成されることもできるのである。
【００７４】
一方、本発明に係る歯科用インプラント１’の第４実施例によると、図９に示すように、ネジ山３００’を第１及び第２雄ネジ３１２’、３１４’と、第１及び第２雄ネジ３１２’、３１４’の間に形成されるポスト３１６’で構成できるが、前記第１雄ネジ３１２’は、前述した実施例と同様に、ネジ山３００’の下端部に形成され、フィクスチャ１００’の締結溝１２０’に形成される第１雌ネジ１２２’に締結され、ネジ山３００’をフィクスチャ１００’に固定させる役割を行うものである。
【００７５】
次に、前記第２雄ネジ３１４’は、ネジ山３００’の上端部に形成されるものであり、その外周面には、後述するネジリング３２０’が結合され、て上部アバットメント２２０’の内側に挿結される。
【００７６】
つまり、前述した実施例とは異なって、ネジ山３００’が上部アバットメント２２０’と直接に結合するのではなく、内周面に第２雌ネジ３２４’が形成され、外周面には第３雄ネジ３２６’が形成された中空状のネジリング３２０’をネジ山３００’の第２雄ネジ３１４’に嵌め込み結合させた後、上部アバットメント２２０’の内側に形成される第３雌ネジ２２６’が形成された第１の締結孔２２２’にネジリング３２０’の第３雄ネジ３２６’を締結して固定させるものであり、このような結合方式によって、全体的にネジ山３００’と上部アバットメント２２０’との間のネジ結合面積が増加するようになって、締結力が強化されるのである。
【００７７】
一方、前記ネジ山３００’の第２雄ネジ３１４’の下部に形成されるポスト３１６’の外側には締結具３３０’が嵌め込み結合されるが、前記締結具３３０’は、ポスト３１６’の外周面に嵌め込み結合され、下部アバットメント２１０’の締める作用によってフィクスチャ１００’の締結溝１２０’に形成される第１雌ネジ１２２’に締結されるネジ山３００’の第１雄ネジ３１２’が緩む方向に回転することで、下部アバットメント２１０’が緩むことなく固定できるようにして、下部アバットメント２１０’の緩み現象を防止できるようにする役割を行うものである。
【００７８】
より詳細に説明すると、前記ネジ山３００’のポスト３１６’は、多角形状からなり、前記締結具３３０’の内側には、ポスト３１６’の断面形状に対応される多角形状の孔が形成され、ポスト３１６’の外側に嵌め込み結合されることができるように構成されている。
【００７９】
また、前記締結具３３０’は、ネジ結合部３３２’と回転防止部３３４’で構成されるが、前記ネジ結合部３３２’は、締結具３３０’の上部に形成されるものであって、その外周面には、第４雄ネジ３３８’が形成されて、下部アバットメント２１０’の内側に形成される第４雌ネジ２１８’にネジ結合されることができるように構成されている。
【００８０】
また、前記回転防止部３３４’は、前述した実施例における下部アバットメント２１０に形成される回転防止部２１６と同一の役割を行うものであって、フィクスチャ１００’に形成された回転防止溝１３４’に嵌め込み結合される。
【００８１】
つまり、前記回転防止部３３４’は、四角、六角、または八角などの多角形状からなり、回転防止部３３４’と同一の形状を成すようにして、フィクスチャ１００’の上端部に形成された回転防止溝１３４’に嵌め込み結合されて、締結具３３０’がフィクスチャ１００’の内側に挿結された場合、これ以上の回転を防止して、締結具３３０’とフィクスチャ１００’との間の緩み現象を防止するものである。
【００８２】
より詳細に説明すると、前記ネジ山３００’のポスト３１６’及び締結具３３０’の内側に形成される孔と、フィクスチャ１００’に形成された回転防止溝１３４’及び締結具３３０’の回転防止部３３４’は、いずれも多角形状からなり、ポスト３１６’と締結具３３０’との間の結合部及びフィクスチャ１００’と締結具３３０’との間の結合部の回動を防止できるように構成されたことに特徴があるが、図１２Ａに示すように、ネジ山３００’と締結具３３０’及びフィクスチャ１００’の製造過程での公差等により、各結合部が密着しないようになって、結合後に揺れが発生する可能性があり、このような揺れが長期化される場合、結合部が緩むようになる問題が発生する。
【００８３】
したがって、前記ネジ山３００’のポスト３１６’に締結具３３０’を嵌め込み結合させた状態で、下部アバットメント２１０’を締結具３３０’のネジ結合部３３２’の外側に結合させた後、下部アバットメント２１０’を回転させて締めると、締結具３３０’が一方向に少し回転することになり、多角形状からなるポスト３１６’と締結具３３０’との間の結合部及びフィクスチャ１００’と締結具３３０’との間の結合部がネジ山３００’が回転しようとする方向に密着し、製造過程での公差によって発生され得る誤差を無くすことで、フィクスチャ１００’とネジ山３００’及び締結具３３０’がより強固に結合されることができる。
【００８４】
この際、前記フィクスチャ１００’とネジ山３００’との間のネジ結合方向、すなわち、第１雌ネジ１２２’と第１雄ネジ３１２’のネジ方向と、下部アバットメント２１０’と締結具３３０’との間のネジ結合方向、すなわち、第４雌ネジ２１８’と第４雄ネジ３３８’とのネジ方向は、互いに逆になるようにすることが望ましいが、その理由は、ポスト３１６’と締結具３３０’との間の結合部及びフィクスチャ１００’と締結具３３０’との間の結合部がフィクスチャと１００’とネジ山３００’の結合が緩む方向に密着されるようにするためである。
【００８５】
すなわち、第１雌ネジ１２２’が形成されたフィクスチャ１００’の締結溝１２０’にネジ山３００’の第１雄ネジ３１２’を締結して固定させた状態で、締結具３３０’をネジ山３００’のポスト３１６’外周面に嵌め込み結合し、回転防止部３３４’がフィクスチャ１００’の回転防止溝１３４’の内側に挿結されるようにした後、締結具３３０’のネジ結合部３３２’の外側に下部アバットメント２１０’を結合させることになるが、この際、第１雌ネジ１２２’及び第１雄ネジ３１２’と、下部アバットメント２１０’の第４雌ネジ２１８’及びネジ結合部３３２’の第４雄ネジ３３８’が反対方向に形成された場合には、下部アバットメント２１０’を回転させて締める場合、図１２Ｂに示すように、締結具３３０’がフィクスチャ１００’の締結溝１２０’に挿結されたネジ山３００’の第１雄ネジ３１２’が緩む方向に回転することになり、ポスト３１６’と締結具３３０’との間の結合部及びフィクスチャ１００’の回転防止溝１３４’と締結具３３０’の回動防止部３３４’との間の結合部が、ネジ山３００’が緩もうとする方向に隙間なく密着されるので、多角形状の結合部形状によってフィクスチャ１００’とネジ山３００’との間のネジ結合が緩まなくなるようになるのである。
【００８６】
一方、本実施例でも、フィクスチャ１００’、アバットメント２００’、及びネジ山３００’のネジ結合方向を変えて、ネジ山３００’の結合が緩むことを源泉的に防止することができるが、その一実施例として、第１雄ネジ３１２’と第１雌ネジ１２２’とのネジ結合方向を他の全てのネジ結合方向と逆にすることができる。
【００８７】
すなわち、第１雄ネジ３１２’と第１雌ネジ１２２’とのネジ結合方向を、左ネジ／又は右ネジとする場合、フィクスチャ１００’に形成された山１１０’の結合方向と、第２ないし第４雄ネジ３１４’、３２６’、３３８’と第２ないし第４雌ネジ３２４’、２２６’、２１８’に形成されたネジ山の結合方向を右ネジ／又は左ネジにして、ネジ結合が緩むことを源泉的に防止することができるのである。
【００８８】
現在、主に使われているインプラントのネジ結合方向が右ネジであるため、以下では、第１雄ネジ３１２’と第１雌ネジ１２２’とのネジ結合方向が左ネジであり、他の部分のネジ結合方向が右ネジである場合を例に挙げて説明する。
【００８９】
先ず、外周面にネジ山１１０’が形成されたフィクスチャ１００’を、歯槽骨に右ネジ方向に挿結させる。
【００９０】
その後、フィクスチャ１００’の締結溝１２０’に形成された第１雌ネジ１２２’に、ネジ山３００’の第１雄ネジ３１２’を結合させるが、この際、前記第１雌ネジ１２２’と第１雄ネジ３１２’は左ネジ方向に形成され、ネジ山３００’を左の方向に回転させ、ネジ山３００’をフィクスチャ１００’の内側に挿結させる。
【００９１】
次に、ネジ結合部３３２’と回転防止部３３４’からなる締結具３３０’を、ネジ山３００’のポスト３１６’の外側に嵌め込み結合させる。
【００９２】
次に、前記ネジ山３００’の上部に形成された第２雄ネジ３１４’に、内周面に第２雌ネジ３２４’が形成されたネジリング３２０’を右ネジの方向に回転して結合させる。
【００９３】
その後、図１１Ａに示すように、下部アバットメント２１０’に形成された第２の締結孔２１２’を通じて、下部アバットメント２１０’を締結具３３０’のネジ結合部３３２’の外周面に結合させるが、この際、前記第２の締結孔２１２’に形成された第４雌ネジ２１８’と、締結具３３０’の外周面に形成された第４雄ネジ３３８’は、いずれも右ネジの方向なので、下部アバットメント２１０’を右ネジの方向に回転させて結合させる。
【００９４】
つまり、図１１Ｂに示すように、下部アバットメント２１０’をネジリング３２０’の上部から嵌め込み結合させ、右ネジ方向に持続的に回転させると、締結具３３０’が右ネジの方向、すなわち、フィクスチャ１００’の締結溝１２０’に挿結されたネジ山３００’の第１雄ネジ３１２’が緩む方向に回転することになり、ポスト３１６’と締結具３３０’との間の結合部及びフィクスチャ１００’と締結具３３０’との間の結合部が隙間なく密着されるので、多角形状の結合部形状によってフィクスチャ１００’とネジ山３００’との間のネジ結合が緩まなくなるようになる。
【００９５】
次に、図１１Ｃに示すように、前記上部アバットメント２２０’の第１締結孔２２２’に形成された第３雌ネジ２２６’を、ネジリング３２０’の外周面に形成された第３雄ネジ３２６’に結合させるが、この際、前記第３雌ネジ２２６’と第３雄ネジ３２６’は、いずれも右ネジで形成されるので、上部アバットメント２２０’を右ネジの方向に回転させると、上部アバットメント２２０’がネジリング３２０’に沿って回転しながら下降して、下部アバットメント２１０’を強く加圧するようになり、上記のような過程により、本発明に係る歯科用インプラント１’の設置が完了される。
【００９６】
つまり、歯科用インプラント１’構造において最も問題となる部分は、長期間使用する場合、インプラントに加えられる衝撃によりネジ結合が緩むということである。
【００９７】
上記のように構成された本発明の場合、フィクスチャ１００’とネジ山３００’との結合が左ネジ方向に行われているので、ネジ山３００’の結合が緩むためには、右ネジの方向への回転が行われるべきである。
【００９８】
しかし、本発明では、フィクスチャ１００’とネジ山３００’との間の結合部を除く部分のネジ結合を、いずれも右ネジの方向に形成したので、ネジ山３００’が右ネジの方向に回転する場合、上部アバットメント２２０’及び下部アバットメント２１０’と、ネジリング３２０’及び締結具３３０’の間の結合力が更に強固になるので、ネジ山３００’がこれ以上回転しないようになり、ネジ山３００’の回転による緩み現象を源泉的に防止することができるようになる。
【００９９】
この際、未図示ではあるが、前記上部アバットメント２２０’と下部アバットメント２１０’の構造は、図５Ａ、図５Ｂ、図５Ｃに示すような前述した実施例と同様に、多様な形状に形成されることができ、上・下部アバットメント２２０’、２１０’の外周面にシーティンググルーブ２５０’またはシーティングリッジ２６０’が形成されることもできるのはもちろんである。
【０１００】
一方、本発明に係る歯科用インプラント１”の第５実施例によると、図１３に示すように、下部アバットメント２１０”の内側に第１ステップリング３４０”が挿設されることに特徴があり、前記第１ステップリング３４０”は、フィクスチャ１００”の回転防止溝１３４”の内側に挿結された状態の下部アバットメント２１０”を、フィクスチャ１００”の内側に挿結されたネジ山３００”が緩む方向に微細に回転させることで、ネジ山３００”の緩みを防止できるように構成されている。
【０１０１】
より詳細に説明すると、前記ネジ山３００”は、前述した第４の実施例と同様に、第１及び第２雄ネジ３１２”、３１４”と、第１及び第２雄ネジ３１２”、３１４”との間に形成されるポスト３１６”で構成されるが、前記ポスト３１６”は、四角または六角のような多角形状を成す。
【０１０２】
また、前記下部アバットメント２１０”は、その内側にポスト３１６”の外周面に嵌め込み結合される多角形状の貫通孔２１８”が形成され、貫通孔２１８”の上部には、その上部に鋸歯状の第１ステップ部２１５”が形成され、下部アバットメント２１０”の下部には、フィクスチャ１００”の上部の内側に形成される多角形状の回転防止溝１３４”に挿結される回転防止部２１６”が回転防止溝１３４”と同一の形状で形成される。
【０１０３】
この際、前記第１ステップ部２１５”の鋸歯状は、フィクスチャ１００”の内側に結合されたネジ山３００”が緩む方向に向かって上方に傾くように形成される。
【０１０４】
また、前記第１ステップ部２１５”と上部アバットメント２２０”との間には、第１ステップリング３４０”が挿設されるが、前記第１ステップリング３４０”の内側には、ネジ山３００”のポスト３１６”の形状に対応される多角形状の孔が形成され、第１ステップリング３４０”の下部には、第１ステップ部２１５”の鋸歯状と同一の形状を有する第２ステップ部３４５”が形成されている。
【０１０５】
すなわち、第１雌ネジ１２２”が形成されたフィクスチャ１００”の締結溝１２０”にネジ山３００”の第１雄ネジ３１２”を締結して固定させた状態で、下部アバットメント２１０”をネジ山３００”の上部から嵌め込み結合させると、下部アバットメント２１０”の回転防止部２１６”がフィクスチャ１００”に形成された多角形状の回転防止溝１３４”に挿結され、下部アバットメント２１０”の内側に形成される多角形状の貫通孔２１８”は、ネジ山３００”のポスト３１６”によって支持され、下部アバットメント２１０”及びネジ山３００”の回転が制限されるので、フィクスチャ１００”に挿結されたネジ山３００”の緩み現象を防止することができるようになる。
【０１０６】
しかし、フィクスチャ１００”と下部アバットメント２１０”及びネジ山３００”の製造過程における公差等によって、多角形状からなる各結合部、つまり、フィクスチャ１００”の回転防止溝１３４”と下部アバットメント２１０”の回転防止部２１６”との間の結合部、及び下部アバットメント２１０”の貫通孔２１８”とネジ山３００”のポスト３１６”との間の結合部が密着しないようになって、結合後に揺れが発生する可能性があり、このような揺れが長期化する場合、結合部が緩んでしまう問題が発生可能である。
【０１０７】
したがって、前記ポスト３１６”の外側に第１ステップリング３４０”を挿入させ、第１ステップリング３４０”が下部アバットメント２１０”の内側、すなわち、第１ステップ部２１５”の上部に位置されるようにした後、上部アバットメント２２０”をネジ山３００”の第２雄ネジ３１４”に結合させると、上部アバットメント２２０”が下降し、第１ステップリング３４０”の上端部を加圧するようになり、それによって、第１ステップリング３４０”が下降することになる。
【０１０８】
この際、前記第１ステップリング３４０”の下端部に形成された第２ステップ部３４５”が、下部アバットメント２１０”に形成された第１ステップ部２１５”と当接するようになって、鋸歯の傾斜方向に沿って、第１ステップリング３４０”はフィクスチャ１００”とネジ山３００”との間の結合方向（図１４を基準にした場合、時計方向）に回転するようになり、第１ステップ部２１５”が一体で形成された下部アバットメント２１０”は、フィクスチャ１００”とネジ山３００”との間の結合が緩む方向（図１４を基準にした場合、反時計方向）に回転することになる。
【０１０９】
このような、下部アバットメント２１０”の回転によって、フィクスチャ１００”の回転防止溝１３４”と下部アバットメント２１０”の回転防止部２１６”との間の結合部及び下部アバットメント２１０”の貫通孔２１８”とネジ山３００”のポスト３１６”との間の結合部は、最小限の隙間も存在しないように完璧に密着され、各結合部での結合力が極大化され、各結合部が形成する多角形状の形によって、ネジ山３００”はフィクスチャ１００”との結合が緩む方向に回転できなくなるので、長期間の使用にもネジ結合が緩む現象が発生しない歯科用インプラント１”を構成できるようになるのである。
【０１１０】
一方、本実施例でも、上・下部アバットメント２２０”、２１０”の外周面にシーティングブリッジ２５０”またはシーティングリッジ２６０”が形成されるなどの他の構成要素は、前述した実施例と同一なので、これに関する詳細な説明を省略する。
【０１１１】
次に、図１５は、本発明に係る歯科用インプラント１’の第６実施例を示すものであり、前述した第４実施例と第５実施例の特徴的な構成を組み合わせたものである。
【０１１２】
より詳細に説明すると、前記第６実施例は、多角形状を成すポスト３１６’の外周面に嵌め込み結合される締結具３３０’の上端に、フィクスチャ１００’の内側に結合されたネジ山３００’が緩む方向に向かって上方に傾いた鋸歯状の第１ステップ部３３５’を形成し、前記第１ステップ部３３５’の上部、つまり、締結具３３０’とネジリング３２０’との間には、その下端部に第１ステップ部３３５’の鋸歯状と同一の形状の第２ステップ部３４５’が形成された第１ステップリング３４０’を挿設したことに特徴があるのである。
【０１１３】
したがって、インプラント１’の結合過程で、上部アバットメント２２０’をネジ山３００’の第２雄ネジ３１４’に結合させる場合、上部アバットメント２２０’の回転によってネジリング３２０’が下降することになり、その下部に設置された第１ステップリング３４０’を加圧するようになり、それによって、第２ステップ部３４５’が締結具３３０’に形成された第１ステップ部３３５’に沿って滑って、締結具３３０’をフィクスチャ１００’とネジ山３００’との間の結合が緩む方向に回転させることになるので、ポスト３１６’と締結具３３０’との間の結合部及びフィクスチャ１００’と締結具３３０’との間の結合部が、ネジ山３００’が緩もうとする方向に隙間なく密着されることができ、多角形状の結合部形状によって、フィクスチャ１００’とネジ山３００’との間のネジ結合が緩まなくなるようになるのである。
【０１１４】
一方、上記のようなステップリングの概念は、上部アバットメント２２０”と下部アバットメント２１０”との間の結合にも適用できるが、より詳しく説明すると、図１６に示すように、下部アバットメント２１０”の上端部に、フィクスチャ１００”の内側に結合されたネジ山３００”が緩む方向に向かって上方に傾いた傾斜面２１７”ａを含む階段状の第３ステップ部２１７”を形成させ、上部アバットメント２２０”と下部アバットメント２１０”との間には、その下端部に第３ステップ部２１７”と同一の形状の第４ステップ部３５５”が形成された第２ステップリング３５０”を挿結させることができる。
【０１１５】
つまり、前述した第５実施例と同様に、フィクスチャ１００”とネジ山３００”及び下部アバットメント２１０”を順次結合させた状態で、下部アバットメント２１０”の上部に第２ステップリング３５０”を位置させた後、第２ステップリング３５０”の上部から上部アバットメント２２０”を結合させると、上部アバットメント２２０”の加圧によって第２ステップリング３５０”が下降するようになり、第２ステップリング３５０”の下端部に形成された第４ステップ部３５５”が下部アバットメント２１０”の上端部に形成された第３ステップ部２１７”に沿って滑り、下部アバットメント２１０”をフィクスチャ１００”に結合されたネジ山３００”が緩もうとする方向に回転させることになるので、多角形状からなるフィクスチャ１００”と下部アバットメント２１０”との間の結合部がネジ山３００”が緩もうとする方向に隙間なく密着され、ネジ山３００”が緩もうとする方向に回転することを防止することができるようになる。
【０１１６】
したがって、前述したような本発明に係る歯科用インプラント１、１’、１”によると、フィクスチャ１００、１００’、１００”とアバットメント２００、２００’、２００”との結合のために、別途のネジ山３００、３００’、３００”を使用してフィクスチャ１００、１００’、１００”とアバットメント２００、２００’、２００”がネジ結合される面積を増加させることにより、フィクスチャ１００、１００’、１００”とアバットメント２００、２００’、２００”との間の結合力を増加させ、ネジ結合される部分に全体的に荷重が分散して伝達されるため、応力集中によるネジ山３００、３００’、３００”の破折のリスクを最小化することができ、ネジ山３００、３００’、３００”の破折時にも破折されたネジ山３００、３００’、３００”を容易に除去できるだけでなく、フィクスチャ１００、１００’、１００”にネジ山３００、３００’、３００”を結合させた上で、その上部にアバットメント２００、２００’、２００”を締結して固定させることができるようにして、フィクスチャ１００、１００’、１００”とアバットメント２００、２００’、２００”との結合をより容易かつ正確にすることができ、様々な方法により、ネジ山３００、３００’、３００”が緩むことを多重に防止できるようにすることで、インプラント１、１’、１”の製造過程で発生される公差にもかかわらず、緩むことなく強固な固定状態を維持できるようにするだけでなく、長期的な使用にもネジの緩み現象を源泉的に防止できるなどの多様な長所を有するものである。
【０１１７】
前述した実施例は、本発明の最も望ましい例について説明したものであるが、前記実施例のみに限定されず、フィクスチャ１００、１００’とアバットメント２００、２００’を強固に結合させる役割を行うネジ山３００、３００’の形状及び下部アバットメント２１０、２１０’、２２０”と上部アバットメント２２０、２２０’、２２０”の形状を多様に変形させることができるなど、本発明の技術的思想を超えない範囲内で様々な変形が可能であるということは当業者にとって明白なことである。
【産業上の利用可能性】
【０１１８】
本発明は、歯科用インプラントに関し、より詳細には、別途のネジ山を利用してフィクスチャとアバットメントとを結合させることで、インプラントのネジ結合部の破折を防止すると同時に、接触面の全体に均等に力が伝わるようにして、応力が部分的に集中する現象を防止することができ、フィクスチャとアバットメントとの間のネジ結合方向を変えて、フィクスチャとアバットメントとの間の結合力を向上させ、ネジの緩みを源泉的に防止できる歯科用インプラントに関する。
【図１】
2015525602.tif 000003
【図２】
2015525602.tif 000004
【図３】
2015525602.tif 000005
【図４】
2015525602.tif 000006
【図５】
2015525602.tif 000007
【図６】
2015525602.tif 000008
【図７】
2015525602.tif 000009
【図８】
2015525602.tif 000010
【図９】
2015525602.tif 000011
【図１０】
2015525602.tif 000012
【図１１】
2015525602.tif 000013
【図１２】
2015525602.tif 000014
【図１３】
2015525602.tif 000015
【図１４】
2015525602.tif 000016
【図１５】
2015525602.tif 000017
【図１６】
2015525602.tif 000018
【国際調査報告】
2015525602.tif 000019
2015525602.tif 000020
2015525602.tif 000021
2015525602.tif 000022